(57)【特許請求の範囲】
【請求項１】
アーマチュアシャフトと、上記アーマチュアシャフトに固定されたアーマチュアコアと、上記アーマチュアコアの近傍において上記アーマチュアシャフトに固定されたコンミュテータと、上記アーマチュアコアに巻回されているとともに、上記コンミュテータに対し
交差して引出され、該コンミュテータに電気的に接続された複数の巻線を備えた
アーマチュアコイルと、上記コンミュテータと一体に成形され、該アーマチュアコイルから引出されて該コンミュテータに電気的に接続される上記複数の巻線のそれぞれを非接触に保持可能な巻線ガイドとを備え、上記コンミュテータには、複数個のコンミュテータ片が設けられているとともに、該各コンミュテータ片のそれぞれに上記アーマチュアコイルに電気的に接続されるターミナルが形成され、上記巻線ガイドには、ガイド本体と、該ガイド本体の外縁上に凹状に形成され、上記各ターミナルに接続されてから、上記アーマチュアコアに形成された巻線巻回部に巻回される各巻線を保持可能な複数の凹部と、ガイド本体の端部において上記コンミュテータに備えた各ターミナルの側部に向け突出形成され、上記アーマチュアコアの巻線巻回部に巻回されてから引出されて上記各ターミナルに接
続される巻線が乗り上げることによって保持可能な複数の凸部が備えられていることを特徴とするアーマチュア。
【請求項２】
ケースと、上記ケースの内側に配置されたマグネットを備え、上記ケースに回転可能に支持されたアーマチュアシャフトと、上記マグネットの内周側で上記アーマチュアシャフトに固定されたアーマチュアコアと、上記アーマチュアコアの近傍において上記アーマチュアシャフトに固定されたコンミュテータと、上記アーマチュアコアに巻回されているとともに上記コンミュテータに対し交差して引出され、該コンミュテータに電気的に接続された複数の巻線を備えたアーマチュアコイルと、上記コンミュテータと一体に成形され、該アーマチュアコイルから引出されて該コンミュテータに電気的に接続される上記複数の巻線のそれぞれを非接触に保持可能な巻線ガイドを備えたアーマチュアと、上記アーマチュアのコンミュテータに電気的に接続可能に配置されたブラシとを備え、上記コンミュテータには、複数個のコンミュテータ片が設けられているとともに、該各コンミュテータ片のそれぞれに上記アーマチュアコイルに電気的に接続されるターミナルが形成され、上記巻線ガイドには、ガイド本体と、該ガイド本体の外縁上に凹状に形成され、上記各ターミナルに接続されてから、上記アーマチュアコアに形成された巻線巻回部に巻回される各巻線を保持可能な複数の凹部と、ガイド本体の端部において上記コンミュテータに備えた各ターミナルの側部に向け突出形成され、上記アーマチュアコアの巻線巻回部に巻回されてから引出されて上記各ターミナルに接続される巻線が乗り上げることによって保持可能な複数の凸部が備えられていることを特徴とする小型モータ。
【請求項３】
上記巻線ガイドは、上記コンミュテータに備えた各ターミナルの一方側の近傍に上記各凸部がそれぞれ配置され、該各ターミナルの他方側に上記各凹部がそれぞれ配置されていることを特徴とする請求項１に記載のアーマチュア。
【請求項４】
上記巻線ガイドは、上記コンミュテータに備えた各ターミナルの一方側の近傍に上記各凸部がそれぞれ配置され、該各ターミナルの他方側に上記各凹部がそれぞれ配置されていることを特徴とする請求項２に記載の小型モータ。
【発明の詳細な説明】
【０００１】
【発明の属する技術分野】
この発明は、自動車用のドアロックアクチュエータなどの原動力とする小型モータに属する。
【０００２】
【従来の技術】
自動車用のドアロックアクチュエータなどの原動力となる小型モータとしては、ケースの内側に２個のマグネットが取付けられ、マグネットの内側に、ケースに回転可能に支持されたアーマチュアが配置されているものが知られている。
【０００３】
このような小型モータにおいて、アーマチュアは、ケースに回転可能に支持されたアーマチュアシャフトにアーマチュアコア、コンミュテータが固定されている。アーマチュアコアにはスロット数に応じた数の巻線巻回部を有し、コンミュテータにはアーマチュアコアの巻線巻回部と同数備えられたコンミュテータ片にターミナルを有する。そして、アーマチュアコアの巻線巻回部に巻回される前の一方の巻線が１つ目のコンミュテータのターミナルに電気的に接続され、アーマチュアコアの巻線巻回部に巻回されてから引出された他方の巻線が一方の巻線と交差して２つ目のコンミュテータのターミナルに電気的に接続され、これをスロット毎に繰り返すことによって、アーマチュアコイルがコンミュテータにそれぞれ電気的に接続されていた。
【０００４】
【発明が解決しようとする課題】
上記した小型モータでは、アーマチュアコイルから引出された一方、他方の巻線が交差しているため、それぞれの巻線が接触した場合、短絡しないとは言い難く、万が一に、巻線の絶縁被膜が交差部分で剥がれていた場合には、短絡することによってアーマチュアコイルを焼損する可能性があるという問題点があった。
【０００５】
【発明の目的】
この発明に係わるアーマチュアおよび小型モータでは、コンミュテータに接続されてからアーマチュアコアに巻回される巻線およびアーマチュアコアに巻回さてからコンミュテータに接続される巻線がそれぞれ離間して配置されるようにすることによって、互いの巻線が接触しないようにして、アーマチュアコイルを短絡させることがないアーマチュアおよび小型モータを提供することを目的としている。
【０００６】
【発明の構成】
【０００７】
【課題を解決するための手段】
この発明の請求項１に係わるアーマチュアでは、アーマチュアシャフトと、アーマチュアシャフトに固定されたアーマチュアコアと、アーマチュアコアの近傍においてアーマチュアシャフトに固定されたコンミュテータと、アーマチュアコアに巻回されているとともに、コンミュテータに対し交差して引出され、コンミュテータに電気的に接続された複数の巻線を備えたアーマチュアコイルと、コンミュテータと一体に成形され、アーマチュアコイルから引出されてコンミュテータに電気的に接続される上記複数の巻線のそれぞれを非接触に保持可能な巻線ガイドとを備え、上記コンミュテータには、複数個のコンミュテータ片が設けられているとともに、該各コンミュテータ片のそれぞれに上記アーマチュアコイルに電気的に接続されるターミナルが形成され、上記巻線ガイドには、ガイド本体と、該ガイド本体の外縁上に凹状に形成され、上記各ターミナルに接続されてから、上記アーマチュアコアに形成された巻線巻回部に巻回される各巻線を保持可能な複数の凹部と、ガイド本体の端部において上記コンミュテータに備えた各ターミナルの側部に向け突出形成され、上記アーマチュアコアの巻線巻回部に巻回されてから引出されて上記各ターミナルに接続される巻線が乗り上げることによって保持可能な複数の凸部が備えられている構成としたことを特徴としている。
【０００８】
この発明の請求項２に係わる小型モータでは、ケースと、ケースの内側に配置されたマグネットを備え、ケースに回転可能に支持されたアーマチュアシャフトと、マグネットの内周側でアーマチュアシャフトに固定されたアーマチュアコアと、アーマチュアコアの近傍においてアーマチュアシャフトに固定されたコンミュテータと、アーマチュアコアに巻回されているとともにコンミュテータに対し交差して引出され、コンミュテータに電気的に接続された複数の巻線を備えたアーマチュアコイルと、コンミュテータと一体に成形され、アーマチュアコイルから引出されてコンミュテータに電気的に接続される上記複数の巻線のそれぞれを非接触に保持可能な巻線ガイドを備えたアーマチュアと、アーマチュアのコンミュテータに電気的に接続可能に配置されたブラシとを備え、上記コンミュテータには、複数個のコンミュテータ片が設けられているとともに、該各コンミュテータ片のそれぞれに上記アーマチュアコイルに電気的に接続されるターミナルが形成され、上記巻線ガイドには、ガイド本体と、該ガイド本体の外縁上に凹状に形成され、上記各ターミナルに接続されてから、上記アーマチュアコアに形成された巻線巻回部に巻回される各巻線を保持可能な複数の凹部と、ガイド本体の端部において上記コンミュテータに備えた各ターミナルの側部に向け突出形成され、上記アーマチュアコアの巻線巻回部に巻回されてから引出されて上記各ターミナルに接続される巻線が乗り上げることによって保持可能な複数の凸部が備えられている構成としたことを特徴としている。
【０００９】
この発明の請求項３に係わるアーマチュアでは、上記巻線ガイドは、上記コンミュテータに備えた各ターミナルの一方側の近傍に上記各凸部がそれぞれ配置され、該各ターミナルの他方側に上記各凹部がそれぞれ配置されている構成としたことを特徴としている。
【００１０】
この発明の請求項４に係わる小型モータでは、上記巻線ガイドは、上記コンミュテータに備えた各ターミナルの一方側の近傍に上記各凸部がそれぞれ配置され、該各ターミナルの他方側に上記各凹部がそれぞれ配置されている構成としたことを特徴としている。
【００１１】
【発明の作用】
この発明の請求項１に係わるアーマチュアにおいて、コンミュテータと一体に成形された巻線ガイドは、コンミュテータの各ターミナルに接続されてからアーマチュアコアの巻線巻回部に巻回される各巻線を、該巻線ガイドの複数の凹部によって保持してから各ターミナルに接続するとともに、アーマチュアコアの巻線巻回部に巻回されてから引出される各巻線を、該巻線ガイドの複数の凸部を乗り越えてからコンミュテータの各ターミナルに接続する。それ故、アーマチュアにおいてコンミュテータに対して交差して引出された巻線のそれぞれは、互いに接触せずにコンミュテータにそれぞれ電気的に接続される。
【００１２】
この発明の請求項２に係わる小型モータにおいて、コンミュテータと一体に成形された巻線ガイドは、コンミュテータの各ターミナルに接続されてからアーマチュアコアの巻線巻回部に巻回される各巻線を、該巻線ガイドの複数の凹部によって保持してから各ターミナルに接続するとともに、アーマチュアコアの巻線巻回部に巻回されてから引出される各巻線を、該巻線ガイドの複数の凸部を乗り越えてからコンミュテータの各ターミナルに接続する。それ故、小型モータにおいてコンミュテータに対して交差して引出された巻線のそれぞれは、互いに接触せずにコンミュテータにそれぞれ電気的に接続される。
【００１３】
この発明の請求項３に係わるアーマチュアにおいて、アーマチュアコアの巻線巻回部に巻回されてから引出された各巻線は、コンミュテータの各ターミナルの一方側近傍で巻線ガイドの凸部を乗り越えてからコンミュテータの各ターミナルに接続される。また、コンミュテータの各ターミナルに接続されてからアーマチュアコアの巻線巻回部に巻回される各巻線は、コンミュテータの各ターミナルの他方側で巻線ガイドの凹部によって保持されてから各ターミナルに接続される。それ故、請求項１の作用に加え、アーマチュアコアの巻線巻回部に巻回されてから引出された方の各巻線が、巻線ガイドの凸部によって各ターミナルの近くで支持されることによって、各ターミナルに対する巻線の接続を容易にする。
【００１４】
この発明の請求項４に係わる小型モータにおいて、アーマチュアコアの巻線巻回部に巻回されてから引出された各巻線は、コンミュテータの各ターミナルの一方側近傍で巻線ガイドの凸部を乗り越えてからコンミュテータの各ターミナルに接続される。また、コンミュテータの各ターミナルに接続されてからアーマチュアコアの巻線巻回部に巻回される各巻線は、コンミュテータの各ターミナルの他方側で巻線ガイドの凹部によって保持されてから各ターミナルに接続される。それ故、請求項２の作用に加え、アーマチュアコアの巻線巻回部に巻回されてから引出された方の各巻線が、巻線ガイドの凸部によって各ターミナルの近くで支持されることによって、各ターミナルに対する巻線の接続を容易にする。
【００１５】
【実施例】
図１ないし図４には、この発明に係わるアーマチュアおよび小型モータの一実施例が示されている。
【００１６】
図示するアーマチュア１は、小型モータ２に備えられており、この小型モータ２は、主として、ケース３、第１のマグネット４、第２のマグネット５、アーマチュア１、第１のブラシ６、第２のブラシ７から構成されている。アーマチュア１には、アーマチュアシャフト８、アーマチュアコア９、コンミュテータ１０、巻線ガイド１１、アーマチュアコイル１２、第１のインシュレータ１３、第２のインシュレータ１４が備えられている。
【００１７】
ケース３には、有底で円筒形状のケース本体３ａと、このケース本体３ａの開口部に嵌着されたエンドカバー３ｂとが備えられている。
【００１８】
ケース本体３ａの有底部の中央には、第１の軸受１５が取付けられている。第１の軸受１５は後述するアーマチュア１に備えたアーマチュアシャフト８の一端側を回転可能に支持する。また、ケース本体３ａの内側には、第１、第２のマグネット４、５がそれぞれ対向位置に取付けられている。
【００１９】
エンドカバー３ｂの中央には第２の軸受１６が成形されており、エンドカバー３ｂの外側には、後述する第１、第２のブラシ６、７にそれぞれ電気的に接続された第１、第２の外部接続端子１７、１８が取付けられている。第２の軸受１６は後述するアーマチュア１に備えたアーマチュアシャフト８の他端側を回転可能に支持する。
【００２０】
エンドカバー３ｂの内側には、第２の軸受１６のまわりに図示しない第１、第２のブラシホルダの基端側が固定されており、第１、第２のブラシホルダの先端側に第１、第２のブラシ６、７が装着されている。
【００２１】
第１、第２のブラシ６、７は、後述するコンミュテータ１０の外側に配置され、第１、第２のブラシホルダに有する弾性反発力によってコンミュテータ１０に備えた第１、第２、第３のコンミュテータ片１０ｂ、１０ｃ、１０ｄに対し電気的に接続可能に圧接される。第１、第２のブラシ６、７は、第１、第２の外部接続端子１７、１８にそれぞれ電気的に接続されているため、第１の外部接続端子１７にプラス側の電源が接続されるとともに、第２の外部接続端子１８がアース側に接続されることによって、後述するコンミュテータ１０を通じ、第１のブラシ６から第２のブラシ７に電流が供給され、これに反して、第２の外部接続端子１８にプラス側の電源が接続されるとともに、第１の外部接続端子１７がアース側に接続されることによって、後述するコンミュテータ１０を通じ、第２のブラ
シ７から第１のブラシ６に電流が供給される。
【００２２】
ケース本体３ａに取付けられた第１の軸受１５によって一端側が回転可能に支持されているとともに、エンドカバー３ｂの第２の軸受１６によって他端側が回転可能に支持されたアーマチュア１は、前述したように、アーマチュアシャフト８、アーマチュアコア９、コンミュテータ１０、巻線ガイド１１、アーマチュアコイル１２、第１のインシュレータ１３、第２のインシュレータ１４から構成されている。
【００２３】
アーマチュアシャフト８にはアーマチュアコア９、コンミュテータ１０、巻線ガイド１１、第１のインシュレータ１３、第２のインシュレータ１４がそれぞれ固定されている。
【００２４】
アーマチュアコア９は、薄肉の鉄板を複数枚重ね合わせて形成されており、このアーマチュアコア９には、円筒形のコア本体９ａの中央にシャフト孔９ａ１が形成されているとともに、外周側に向け略Ｔ字形にそれぞれ突出形成されていて、予め定められたスロット数（３スロット）に対応した第１、第２、第３の巻線巻回部９ｂ、９ｃ、９ｄがそれぞれ設けられている。シャフト孔９ａ１にはアーマチュアシャフト８が圧入されて固定される。第１、第２、第３の巻線巻回部９ｂ、９ｃ、９ｄには後述するアーマチュアコイル１２が巻回される。
【００２５】
アーマチュアコア９の近傍には、アーマチュアシャフト８上にコンミュテータ１０が配置されている。コンミュテータ１０には、コンミュテータ芯１０ａと、コンミュテータ芯１０ａの外周側にそれぞれ配置された第１、第２、第３のコンミュテータ片１０ｂ、１０ｃ、１０ｄが一体成形で設けられている。
【００２６】
コンミュテータ芯１０ａは、樹脂によって円筒形に形成されており、中央に丸孔状に形成されたシャフト孔１０ａ１がアーマチュアシャフト８に固定されている。
【００２７】
第１、第２、第３のコンミュテータ片１０ｂ、１０ｃ、１０ｄは、前述したスロット数と同一の３個備えられており、コンミュテータ芯１０ａの円周方向に同一の間隔でもってそれぞれ絶縁されて配置されている。第１、第２、第３のコンミュテータ片１０ｂ、１０ｃ、１０ｄのアーマチュアコア９側には、第１、第２、第３のターミナル１０ｂ１、１０ｃ１、１０ｄ１がそれぞれ形成されている。第１、第２、第３のターミナル１０ｂ１、１０ｃ１、１０ｄ１は、後述するアーマチュアコイル１１に電気的に接続される。
【００２８】
アーマチュアシャフト８に固定されたコンミュテータ１０は、アーマチュアシャフト８上において、第１、第２のコンミュテータ片１０ｂ、１０ｃのあいだにアーマチュアコア９の第１の巻線巻回部９ｂが配置され、第２、第３のコンミュテータ片１０ｃ、１０ｄのあいだにアーマチュアコア９の第２の巻線巻回部９ｃが配置され、第３、第１のコンミュテータ片１０ｄ、１０ｂのあいだにアーマチュアコア９の第３の巻線巻回部９ｄが配置されている。
【００２９】
そして、コンミュテータ１０のアーマチュアコア９側に、巻線ガイド１１が一体に成形されている。このため、巻線ガイド１１をコンミュテータ１０と別体に形成した場合に比べ部品点数が減少し、安価になるとともに部品の管理が容易になる。
【００３０】
巻線ガイド１１にはガイド本体１１ａが備えられており、このガイド本体１１ａは、前述したコンミュテータ１０に備えたコンミュテータ芯１０ａよりも大きい外径寸法の略円筒形に形成されている。
【００３１】
ガイド本体１１ａの中央には、シャフト孔１１ａ１が形成されており、このシャフト孔１１ａ１にアーマチュアシャフト８が固定されている。
【００３２】
巻線ガイド１１には、ガイド本体１１ａの外周部に第１、第２、第３の凹部１１ｂ、１１ｃ、１１ｄおよび第１、第２、第３の凸部１１ｅ、１１ｆ、１１ｇがそれぞれ形成されている。第１、第２、第３の凸部１１ｅ、１１ｆ、１１ｇはガイド本体１１ａの外縁上に配置されている。
【００３３】
第１、第２、第３の凹部１１ｂ、１１ｃ、１１ｄは、第１、第２、第３の凸部１１ｅ、１１ｆ、１１ｇとそれぞれ交互に配置されているため、図３に示されるように、ガイド本体１１ａの円周方向に、第１の凹部１１ｂの隣りに第１の凸部１１ｅが配置され、第２の凹部１１ｃの隣りに第２の凸部１１ｆが配置され、第３の凹部１１ｄの隣りに第３の凸部１１ｇが配置されている。
【００３４】
第１、第２、第３の凹部１１ｂ、１１ｃ、１１ｄは、図３に示されるように、ガイド本体１１ａが有する外径寸法Ｄ１よりも小さい外径寸法Ｄ２の円周上にそれぞれ形成されているため、ガイド本体１１ａの外縁、すなわち第１、第２、第３の凸部１１ｅ、１１ｆ、１１ｇに対して段差を有する。
【００３５】
第１、第２、第３の凸部１１ｅ、１１ｆ、１１ｇには、図３に示されるように、ガイド本体１１ａの外縁から、コンミュテータ１０に備えた第１、第２、第３のコンミュテータ片１０ｂ、１０ｃ、１０ｄの第１、第２、第３のターミナル１０ｂ１、１０ｃ１、１０ｄ１においての近傍に向けて小突起状に突出形成された巻線乗上げ部１１ｅ１、１１ｆ１、１１ｇ１がそれぞれ備えられている。
【００３６】
そして、巻線ガイド１１は、第１の凸部１１ｅの巻線乗上げ部１１ｅ１が第２のコンミュテータ片１０ｃの第２のターミナル１０ｃ１に近接して配置され、第２の凸部１１ｆの巻線乗上げ部１１ｆ１が第３のコンミュテータ片１０ｄの第３のターミナル１０ｄ１に近接して配置され、第３の凸部１１ｇの巻線乗上げ部１１ｇ１が第１のコンミュテータ片１０ｂの第１のターミナル１０ｂ１に近接して配置されている。
【００３７】
巻線ガイド１１は、アーマチュアコア９の第１の巻線巻回部９ｂにおいて巻回されたアーマチュアコイル１２の巻線１２ａのそれぞれがコンミュテータ１０に対してそれぞれ交差して引き出されるが、巻線１２ａのうちの一方を第１の凹部１１ｂにおいてガイド本体１１ａの内周側に下がった位置に保持するとともに、巻線１２ａのうちの他方を第１の凸部１１ｅにおいてガイド本体１１ａの円周上で保持する機能を有する。
【００３８】
また、巻線ガイド１１は、アーマチュアコア９の第２の巻線巻回部９ｃにおいて巻回されたアーマチュアコイル１２の巻線１２ａのそれぞれがコンミュテータ１０に対してそれぞれ交差して引き出されるが、巻線１２ａのうちの一方を第２の凹部１１ｃにおいてガイド本体１１ａの内周側に下がった位置に保持するとともに、巻線１２ａのうちの他方を第２の凸部１１ｆにおいてガイド本体１１ａの円周上で保持する機能を有する。
【００３９】
そして、巻線ガイド１１は、アーマチュアコア９の第３の巻線巻回部９ｄにおいて巻回されたアーマチュアコイル１２の巻線１２ａのそれぞれがコンミュテータ１０に対してそれぞれ交差して引き出されるが、巻線１２ａのうちの一方を第３の凹部１１ｄにおいてガイド本体１１ａの内周側に下がった位置に保持するとともに、巻線１２ａのうちの他方を第３の凸部１１ｇにおいてガイド本体１１ａの円周上で保持する機能を有する。
【００４０】
そしてまた、巻線ガイド１１は、巻線乗上げ部１１ｅ１、１１ｆ１、１１ｇ１がガイド本体１１ａの外縁からコンミュテータ１０に備えた第１、第２、第３のコンミュテータ片１０ｂ、１０ｃ、１０ｄの第１、第２、第３のターミナル１０ｂ１、１０ｃ１、１０ｄ１の近傍に向けて小突起状に突出形成されているため、第１、第２、第３のターミナル１０ｂ１、１０ｃ１、１０ｄ１に接続される巻線１２ａを支持して第１、第２、第３のターミナル１０ｂ１、１０ｃ１、１０ｄ１に対し巻線１２ａを接続し易くする。
【００４１】
アーマチュアシャフト８上において、アーマチュアコア９と巻線ガイド１１とのあいだには第１のインシュレータ１３が配置され、アーマチュアコア９の巻線ガイド１１とは反対側に第２のインシュレータ１４が配置されている。
【００４２】
第１のインシュレータ１３は、アーマチュアコア９に備えたコア本体９ａのコンミュテータ１０側の端部に当接することによって、アーマチュアコア９の第１、第２、第３の巻線巻回部９ｂ、９ｃ、９ｄに巻回される後述のアーマチュアコイル１２をアーマチュアコア９に対して絶縁する機能を有する。
【００４３】
第２のインシュレータ１４は、第１のインシュレータ１３と同一形状に形成されており、この第２のインシュレータ１４は、アーマチュアコア９に備えたコア本体９ａのコンミュテータ１０とは反対側の端部に当接することによって、アーマチュアコア９の第１、第２、第３の巻線巻回部９ｂ、９ｃ、９ｄに巻回される後述のアーマチュアコイル１２を第１のインシュレータ１３とともにアーマチュアコア９に対して絶縁する機能を有する。
【００４４】
アーマチュアコイル１２は、巻線１２ａがアーマチュアコア９の第１、第２、第３の巻線巻回部９ｂ、９ｃ、９ｄに巻回されているとともに、巻線１２ａがコンミュテータ１０の第１、第２、第３のターミナル１０ｂ１、１０ｃ１、１０ｄ１に電気的に接続されている。巻線１２ａの表面には絶縁被膜が形成されている。
【００４５】
アーマチュアコイル１２は、巻線１２ａがアーマチュアコア９の第１、第２、第３の巻線巻回部９ｂ、９ｃ、９ｄにそれぞれ巻回され、コンミュテータ１０の第１、第２、第３のターミナル１０ｂ１、１０ｃ１、１０ｄ１に電気的に接続されるに際し、図２に示されるように、まず、巻線１２ａの一端部がコンミュテータ１０の第２のターミナル１０ｃ１にからげられて、アーマチュアコア９の第２の巻線巻回部９ｃに対して図２中下方側を先にして巻線１２ａが右巻きで所定の回数巻かれる。このとき、アーマチュアコア９の第２の巻線巻回部９ｃが巻線ガイド１１の第２の凹部１１ｃに一致しているため、第２のターミナル１０ｃ１にからげられた巻線１２ａは巻線ガイド１１の第２の凹部１１ｃ上に配置されて第２の凹部１１ｃにおいて保持されながらアーマチュアコア９の第２の巻線巻回部
９ｃへ導かれる。
【００４６】
次に、アーマチュアコア９の第２の巻線巻回部９ｃに右巻きで巻かれた巻線１２ａがコンミュテータ１０側に引き出され、コンミュテータ１０に備えた第３のターミナル１０ｄ１にからげられる。このとき、アーマチュアコア９の第２の巻線巻回部９ｃとコンミュテータ１０の第３のターミナル１０ｄ１とのあいだに、巻線ガイド１１の第２の凸部１１ｆが配置されるため、巻線１２ａが第２の凸部１１ｆの巻線乗上げ部１４ｆ１を乗上げてから、第３のターミナル１０ｄ１に対してからげられる。
【００４７】
第２の巻線巻回部９ｃにおいて巻回されたアーマチュアコイル１２の巻線１２ａのうち、第２のターミナル１０ｃ１にからげられた一方の巻線１２ａは、巻線ガイド１１の第２の凹部１１ｃ上で保持され、これに対して、第３のターミナル１０ｄ１にからげられた他方の巻線１２ａは、巻線ガイド１１の第２の凸部１１ｆ上で保持されるため、それぞれの巻線１２ａ、１２ａに空隙が生じ、その空隙によって、それぞれの巻線１２ａが交差して引き出されていても接触することがない。
【００４８】
第３のターミナル１０ｄ１にからげられた巻線１２ａは、アーマチュアコア９の第３の巻線巻回部９ｄに対して図２中上方側を先にして右巻きで所定の回数巻かれる。このとき、アーマチュアコア９の第３の巻線巻回部９ｄに巻線ガイド１１の第３の凹部１１ｄが一致しているため、第３のターミナル１０ｄ１にからげられた巻線１２ａは巻線ガイド１１の第３の凹部１１ｄによって保持されながらアーマチュアコア９の第３の巻線巻回部９ｄへ導かれる。
【００４９】
続いて、アーマチュアコア９の第３の巻線巻回部９ｄに右巻きで巻かれた巻線１２ａがコンミュテータ１０側に引き出され、コンミュテータ１０の第１のターミナル１０ｂ１にからげられる。このとき、図３に示されるように、アーマチュアコア９の第３の巻線巻回部９ｄとコンミュテータ１０の第１のターミナル１０ｂ１とのあいだに、巻線ガイド１１の第３の凸部１１ｇが配置されるため、巻線１２ａが第３の凸部１１ｇの巻線乗上げ部１１ｇ１に乗上げることによって、第３の凸部１１ｇにおいて保持されてから、第１のターミナル１０ｂ１に対してからげられる。
【００５０】
第３の巻線巻回部９ｄにおいて巻回されたアーマチュアコイル１２の巻線１２ａのうち、第３のターミナル１０ｄ１にからげられた一方の巻線１２ａは、巻線ガイド１１の第３の凹部１１ｄ上で保持され、これに対して、第１のターミナル１０ｂ１にからげられた他方の巻線１２ａは、巻線ガイド１１の第３の凸部１１ｇ上で保持されるため、それぞれの巻線１２ａ、１２ａに空隙が生じ、その空隙によって、それぞれの巻線１２ａが交差して引き出されていても接触することがない。
【００５１】
第１のターミナル１０ｂ１にからげられた巻線１２ａは、アーマチュアコア９の第１の巻線巻回部９ｂに対して図２中左方側を先にして右巻きで所定の回数巻かれる。このとき、図３に示されるように、アーマチュアコア９の第１の巻線巻回部９ｂに巻線ガイド１１の第１の凹部１１ｂが一致しているため、第１のターミナル１０ｂ１にからげられた巻線１２ａは巻線ガイド１１の第１の凹部１１ｂによって保持されながらアーマチュアコア９の第１の巻線巻回部９ｂへ導かれる。
【００５２】
さらに、アーマチュアコア９の第１の巻線巻回部９ｂに右巻きで巻かれた巻線のターミナル１０ｃ１にからげられる。このとき、アーマチュアコア９の第１の巻線巻回部９ｂとコンミュテータ１０の第２のターミナル１０ｃ１とのあいだに、巻線ガイド１１の第１の凸部１１ｅが配置されるため、巻線１２ａが第１の凸部１１ｅの巻線乗上げ部１１ｅ１を乗上げてから、第２のターミナル１０ｃ１に対してからげられる。
【００５３】
第１の巻線巻回部９ｂにおいて巻回されたアーマチュアコイル１２の巻線１２ａのうち、第１のターミナル１０ｂ１にからげられた一方の巻線１２ａは、巻線ガイド１１の第１の凹部１１ｂ上で保持され、これに対して、第２のターミナル１０ｃ１にからげられた他方の巻線１２ａは、巻線ガイド１１の第１の凸部１１ｅ上で保持されるため、それぞれの巻線１２ａ、１２ａに空隙が生じ、その空隙によって、それぞれの巻線１２ａが交差して引き出されていても接触することがない。
【００５４】
そして、第１、第２、第３のターミナル１０ｂ１、１０ｃ１、１０ｄ１に対してヒュージング，半田付け，またはロウ付けがそれぞれ行われることによって、巻線１２ａの絶縁被膜が取り除かれて、それぞれの巻線１２ａが第１、第２、第３のターミナル１０ｂ１、１０ｃ１、１０ｄに電気的に接続される。
【００５５】
上述したように、アーマチュアコア９の第１、第２、第３の巻線巻回部９ｂ、９ｃ、９ｄ毎において巻回されたアーマチュアコイル１２の巻線１２ａは、コンミュテータ１０の第１、第２、第３のターミナル１０ｂ１、１０ｃ１、１０ｄ１に対してそれぞれ交差して引き出されるが、第１、第２、第３の巻線巻回部９ｂ、９ｃ、９ｄにおいてそれぞれ巻回されたアーマチュアコイル１２の巻線１２ａのうちの一方は巻線ガイド１１の第１、第２、第３の凹部１１ｂ、１１ｃ、１１ｄにおいてガイド本体１１ａの外縁に対し下がって保持され、これに反して、第１、第２、第３の巻線巻回部９ｂ、９ｃ、９ｄにおいて巻回されたアーマチュアコイル１２の巻線１２ａのうちの他方は巻線ガイド１１の第１、第２、第３の凸部１１ｅ、１１ｆ、１１ｇにおいてガイド本体１１ａの外縁に保持されることにより、それぞれの巻線１２ａ間に空隙が配されて接触することがない。
【００５６】
このような構造を有する小型モータ１は、エンドカバー３ｂから突出したアーマチュアシャフト８にドアロックアクチュエータの出力機構などの負荷が結合され、第１、第２の外部接続端子１７、１８が外部の制御回路に電気的に接続される。
【００５７】
制御回路によって、第１の外部接続端子１７にプラス側の電源が接続されるとともに、第２の外部接続端子１８がアース側に接続されると、第１のブラシ６から第２のブラシ７に電流が供給されるため、第１のブラシ６に電気的に接続している第１のコンミュテータ片１０ｂ、第１のターミナル１０ｂ１、アーマチュアコイル１２、第２のターミナル１０ｃ１、第２のコンミュテータ片１０ｃ、第２のコンミュテータ片１０ｃに電気的に接続している第２のブラシ７に電流が流れて、アーマチュアコイル１２が励磁され、アーマチュアコア９の第１の巻線巻回部９ｂにおいて磁力が発生し、アーマチュアコア９より発生した磁力と第１、第２のマグネット４、５が発生している磁力とによる電磁誘導によって、アーマチュア１が回転を始める。
【００５８】
アーマチュア１が回転を始めると、第１のブラシ６に第３のコンミュテータ片１０ｄが、第２のブラシ７に第１のコンミュテータ片１０ｂがそれぞれ電気的に接続されるため、アーマチュアコア９の第３の巻線巻回部９ｄにおいて磁力が発生し、アーマチュアコア９より発生した磁力と第１、第２のマグネット４、５が発生している磁力とによる電磁誘導によって、アーマチュア１が回転し続ける。
【００５９】
そして、アーマチュア１がさらに回転することによって、第１のブラシ６に第２のコンミュテータ片１０ｃが、第２のブラシ７に第３のコンミュテータ片１０ｄがそれぞれ電気的に接続されるため、アーマチュアコア９の第２の巻線巻回部９ｃにおいて磁力が発生し、アーマチュアコア９より発生した磁力と第１、第２のマグネット４、５が発生している磁力とによる電磁誘導によって、アーマチュア１が回転し続け、以後、これを繰り返すことによって、アーマチュア１が回転し続ける。
【００６０】
アーマチュア１が回転することによって、アーマチュアシャフト８に結合された負荷が出力側に駆動される。
【００６１】
上記に反し、制御回路によって、第２の外部接続端子１８にプラス側の電源が接続されるとともに、第１の外部接続端子１７がアース側に接続されると、第２のブラシ７から第１のブラシ６に電流が供給されるため、上記とは反対方向に電流が流れ、アーマチュア１が逆方向に回転するため、負荷を戻し側に駆動する。
【００６２】
アーマチュアコイル１２に対して電流が供給されるあいだ、アーマチュアコア９の第１、第２、第３の巻線巻回部９ｂ、９ｃ、９ｄにおいて巻回されたアーマチュアコイル１２の巻線１２ａは、コンミュテータ１０に対してそれぞれ交差して引き出されているが、第１、第２、第３の巻線巻回部９ｂ、９ｃ、９ｄにおいて巻回されたアーマチュアコイル１２のそれぞれの巻線１２ａのうちの一方が巻線ガイド１１の第１、第２、第３の凹部１１ｂ、１１ｃ、１１ｄにおいてガイド本体１１ａの内周側に下がった位置で保持され、巻線１２ａのうちの他方が巻線ガイド１１の第１、第２、第３の凸部１１ｅ、１１ｆ、１１ｇにおいてガイド本体１１ａの外縁上で保持されるため、それぞれの巻線１２ａに空隙が配され、それによって、巻線１２ａのそれぞれが接触することなく、第１、第２、第３のコンミュテータ片１０ｂ、１０ｃ、１０ｄのそれぞれとアーマチュアコイル１２とを電気的に接続するものとなる。
【００６３】
【発明の効果】
以上説明してきたように、この発明の請求項１に係わるアーマチュアによれば、コンミュテータと一体に成形された巻線ガイドは、コンミュテータの各ターミナルに接続されてからアーマチュアコアの巻線巻回部に巻回される各巻線を、該巻線ガイドの凹部によって保持してから各ターミナルに接続するとともに、アーマチュアコアの巻線巻回部に巻回されてから引出される各巻線を、該巻線ガイドの凸部を乗り越えてからコンミュテータの各ターミナルに接続する。それ故、アーマチュアにおいてコンミュテータに対して交差して引出された巻線のそれぞれは、互いに接触せずにコンミュテータにそれぞれ電気的に接続される。よって、コンミュテータに接続されてからアーマチュアコアに巻回される巻線およびアーマチュアコアに巻回されてからコンミュテータに接続される巻線がそれぞれ離間して配置されることによって、互いの巻線が接触せずに、アーマチュアコイルを短絡させることがなく、このアーマチュアを用いた小型モータが作動不良になることがないという優れた効果を奏する。また、巻線ガイドをコンミュテータと一体に成形したので、部品点数が減少し、安価になるとともに部品の管理が容易になるという効果を奏する。
【００６４】
この発明の請求項２に係わる小型モータによれば、コンミュテータと一体に成形された巻線ガイドは、コンミュテータの各ターミナルに接続されてからアーマチュアコアの巻線巻回部に巻回される各巻線を、該巻線ガイドの凹部によって保持してから各ターミナルに接続するとともに、アーマチュアコアの巻線巻回部に巻回されてから引出される各巻線を、該巻線ガイドの凸部を乗り越えてからコンミュテータの各ターミナルに接続する。それ故、小型モータにおいてコンミュテータに対して交差して引出された巻線のそれぞれは、互いに接触せずにコンミュテータにそれぞれ電気的に接続される。よって、コンミュテータに接続されてからアーマチュアコアに巻回される巻線およびアーマチュアコアに巻回されてからコンミュテータに接続される巻線がそれぞれ離間して配置されることによって、互いの巻線が接触せずに、アーマチュアコイルを短絡させることがなく、小型モータが作動不良になることがないという優れた効果を奏する。また、巻線ガイドをコンミュテータと一体に成形したので、部品点数が減少し、安価になるとともに部品の管理が容易になるという効果を奏する。
【００６５】
この発明の請求項３に係わるアーマチュアによれば、アーマチュアコアの巻線巻回部に巻回されてから引出された各巻線は、コンミュテータの各ターミナルの一方側近傍で巻線ガイドの凸部を乗り越えてからコンミュテータの各ターミナルに接続される。また、コンミュテータの各ターミナルに接続されてからアーマチュアコアの巻線巻回部に巻回される各巻線は、コンミュテータの各ターミナルの他方側で巻線ガイドの凹部によって保持されてから各ターミナルに接続される。それ故、請求項１の効果に加え、アーマチュアコアの巻線巻回部に巻回されてから引出された方の各巻線が、巻線ガイドの凸部によって各ターミナルの近くで支持されることによって、各ターミナルに対する巻線の接続を容易にすることができるという優れた効果を奏する。
【００６６】
この発明の請求項４に係わる小型モータによれば、アーマチュアコアの巻線巻回部に巻回されてから引出された各巻線は、コンミュテータの各ターミナルの一方側近傍で巻線ガイドの凸部を乗り越えてからコンミュテータの各ターミナルに接続される。また、コンミュテータの各ターミナルに接続されてからアーマチュアコアの巻線巻回部に巻回される各巻線は、コンミュテータの各ターミナルの他方側で巻線ガイドの凹部によって保持されてから各ターミナルに接続される。それ故、請求項２の効果に加え、アーマチュアコアの巻線巻回部に巻回されてから引出された方の各巻線が、巻線ガイドの凸部によって各ターミナルの近くで支持されることによって、各ターミナルに対する巻線の接続を容易にすることができるという優れた効果を奏する。
【図面の簡単な説明】
【図１】この発明に係わるアーマチュアおよび小型モータの一実施例においての一部破断側面図である。
【図２】図１に示したアーマチュアおよび小型モータにおいての巻線ガイドまわりの正面図である。
【図３】図１に示したアーマチュアおよび小型モータにおいての巻線を接続していないコンミュテータ側からの巻線ガイドまわりの正面図である。
【図４】図１に示したアーマチュアおよび小型モータにおいての巻線ガイドの外観斜視説明図である。
【符号の説明】
１        アーマチュア
２        小型モータ
３        ケース
４        （マグネット）第１のマグネット
５        （マグネット）第２のマグネット
６        （ブラシ）第１のブラシ
７        （ブラシ）第２のブラシ
８        アーマチュアシャフト
９        アーマチュアコア
１０      コンミュテータ
１０ｂ    （コンミュテータ片）第１のコンミュテータ片
１０ｂ１  （ターミナル）第１のターミナル
１０ｃ    （コンミュテータ片）第２のコンミュテータ片
１０ｃ１  （ターミナル）第２のターミナル
１０ｄ    （コンミュテータ片）第３のコンミュテータ片
１０ｄ１  （ターミナル）第３のターミナル
１１      巻線ガイド
１１ａ    ガイド本体
１１ｂ    （凹部）第１の凹部
１１ｃ    （凹部）第２の凹部
１１ｄ    （凹部）第３の凹部
１１ｅ    （凸部）第１の凸部
１１ｆ    （凸部）第２の凸部
１１ｇ    （凸部）第３の凸部
１２      アーマチュアコイル
１２ａ    巻線
【図１】
0003682516.tif 000002
【図２】
0003682516.tif 000003
【図３】
0003682516.tif 000004
【図４】
0003682516.tif 000005